(57)【要約】【課題】対応可能な衝突形態を増やす。【解決手段】車両保護装置２は、エアバッグ５１およびインフレータ５２を有するエアバッグモジュール５０と、エアバッグモジュール５０を、所定の軌道に沿って移動可能に車体に取り付けるアクチュエータ６１と、を有する。エアバッグモジュール５０は、アクチュエータ６１により移動された状態で展開できる、【選択図】図２
2017065556.tif 000002
【特許請求の範囲】
【請求項１】
エアバッグおよび前記エアバッグを展開させるインフレータを有するエアバッグモジュールと、
前記エアバッグモジュールを、所定の軌道に沿って移動可能に車体に取り付けるアクチュエータと、
を有し、
前記エアバッグモジュールは、前記アクチュエータにより移動された状態で展開できる、
車両用保護装置。
【請求項２】
前記アクチュエータによる前記エアバッグモジュールの移動駆動を制御する制御部を有し、
前記制御部は、
衝突形態の予測に用いる入力情報、衝突時の入力情報、または車内状況の入力情報に基づいて、衝突形態を判断し、
前記車体の内外状況を示す入力情報に基づいて、衝突予想、衝突前の車内状況、衝突中の衝突状態、および衝突中の車内状況、の中の少なくとも１つの衝突形態を判断し、
前記衝突形態の判断結果に基づいて、前記エアバッグモジュールの移動要否または移動量を判断し、
前記エアバッグモジュールの移動が必要である場合に、前記アクチュエータにより前記エアバッグモジュールを移動駆動させる、
請求項１記載の車両用保護装置。
【請求項３】
前記制御部は、前記衝突形態の判断において、前記エアバッグの展開方向と衝撃入力方向との一致度、衝撃による乗員の倒れ方向と前記エアバッグの展開方向との一致度、衝撃値の大きさ、乗員の有無、乗員の体型若しくは体重の大きさ、乗員と前記車体の内装部材との距離、の中の少なくとも１つを判断する、
請求項２記載の車両用保護装置。
【請求項４】
前記制御部は、衝突予測時に、前記エアバッグモジュールを移動駆動させる、
請求項２記載の車両用保護装置。
【請求項５】
前記制御部は、乗員の着座位置を判断した時に、前記エアバッグモジュールを移動駆動させる、
請求項２記載の車両用保護装置。
【請求項６】
前記制御部は、乗員の特定部位に対して前記エアバッグが展開するように、前記エアバッグモジュールを移動駆動させる、
請求項２記載の車両用保護装置。
【請求項７】
前記エアバッグモジュールは、前記車体に設けられるシートの前側に設けられ、前記シートの前側において前記車体の幅方向へ移動可能に設けられる、
請求項１記載の車両用保護装置。
【請求項８】
前記エアバッグモジュールは、前記車体に設けられるシートの上側に設けられ、前記シートの上側において前記車体の幅方向へ移動可能に設けられる、
請求項１記載の車両用保護装置。
【請求項９】
前記エアバッグモジュールは、前記車体に設けられた内装部品内に配置され、
前記内装部品に設けられ、前記エアバッグモジュールの移動位置に応じて選択的に破断される複数の破断部を有する、
請求項１記載の車両用保護装置。
【請求項１０】
前記アクチュエータは、
前記制御部により駆動されることにより前記エアバッグモジュールを移動させるワイヤ又はリンク機構を有する、
請求項２記載の車両用保護装置。
【請求項１１】
前記アクチュエータは、
前記車体に設けられたシートへの着座により変位する変位部材と、
前記変位部材の変位を入力として前記エアバッグモジュールを移動させるワイヤ又はリンク機構と、
を有する、
請求項１記載の車両用保護装置。
【発明の詳細な説明】
【技術分野】
【０００１】
本発明は、車両用保護装置に関する。
【背景技術】
【０００２】
自動車といった車両には、各種の車両用保護装置が設けられる。
たとえば特許文献１は、シートに着座した乗員の前側で展開されるフロントエアバッグ、乗員の外側で展開されるカーテンエアバッグを開示する。
これにより、たとえば自動車が他の自動車などと衝突する際に、シートに着座した乗員の前側でフロントエアバッグを展開させ、展開したフロントエアバッグに対して前へ倒れた乗員を支えることができる。乗員を保護することが可能である。
【先行技術文献】
【特許文献】
【０００３】
【特許文献１】特開２０１４−１５１６７６号公報
【発明の概要】
【発明が解決しようとする課題】
【０００４】
しかしながら、このように車両において複数のエアバッグを展開させるようにしたとしても、想定外の衝突が発生した場合には、倒れる乗員がエアバッグに当たらなかったり、エアバックが乗員の荷重を十分に受け止めることができなかったりする可能性がある。
そして、このように想定外の衝突形態に対応しようとする場合、さらにエアバッグを追加することが考えられる。しかしながら、車両には既に、上述したようにフロントエアバッグやカーテンエアバッグが設けられており、追加したエアバッグを展開させるスペースが確保できない可能性もある。
【０００５】
このように、車両用保護装置では、エアバッグを追加しなくとも、対応可能な衝突形態を増やすことが求められている。
【課題を解決するための手段】
【０００６】
本発明に係る車両用保護装置は、エアバッグおよび前記エアバッグを展開させるインフレータを有するエアバッグモジュールと、前記エアバッグモジュールを、所定の軌道に沿って移動可能に車体に取り付けるアクチュエータと、を有し、前記エアバッグモジュールは、前記アクチュエータにより移動された状態で展開できる。
【０００７】
好適には、前記アクチュエータによる前記エアバッグモジュールの移動駆動を制御する制御部を有し、前記制御部は、衝突形態の予測に用いる入力情報、衝突時の入力情報、または車内状況の入力情報に基づいて、衝突形態を判断し、前記車体の内外状況を示す入力情報に基づいて、衝突予想、衝突前の車内状況、衝突中の衝突状態、および衝突中の車内状況、の中の少なくとも１つの衝突形態を判断し、前記衝突形態の判断結果に基づいて、前記エアバッグモジュールの移動要否または移動量を判断し、前記エアバッグモジュールの移動が必要である場合に、前記アクチュエータにより前記エアバッグモジュールを移動駆動させる、とよい。
【０００８】
好適には、前記制御部は、前記衝突形態の判断において、前記エアバッグの展開方向と衝撃入力方向との一致度、衝撃による乗員の倒れ方向と前記エアバッグの展開方向との一致度、衝撃値の大きさ、乗員の有無、乗員の体型若しくは体重の大きさ、乗員と前記車体の内装部材との距離、の中の少なくとも１つを判断する、とよい。
【０００９】
好適には、前記制御部は、衝突予測時に、前記エアバッグモジュールを移動駆動させる、とよい。
【００１０】
好適には、前記制御部は、乗員の着座位置を判断した時に、前記エアバッグモジュールを移動駆動させる、とよい。
【００１１】
好適には、前記制御部は、乗員の特定部位に対して前記エアバッグが展開するように、前記エアバッグモジュールを移動駆動させる、とよい。
【００１２】
好適には、前記エアバッグモジュールは、前記車体に設けられるシートの前側に設けられ、前記シートの前側において前記車体の幅方向へ移動可能に設けられる、とよい。
【００１３】
好適には、前記エアバッグモジュールは、前記車体に設けられるシートの上側に設けられ、前記シートの上側において前記車体の幅方向へ移動可能に設けられる、とよい。
【００１４】
好適には、前記エアバッグモジュールは、前記車体に設けられた内装部品内に配置され、前記内装部品に設けられ、前記エアバッグモジュールの移動位置に応じて選択的に破断される複数の破断部を有する、とよい。
【００１５】
好適には、前記アクチュエータは、前記制御部により駆動されることにより前記エアバッグモジュールを移動させるワイヤ又はリンク機構を有する、とよい。
【００１６】
好適には、前記アクチュエータは、前記車体に設けられたシートへの着座により変位する変位部材と、前記変位部材の変位を入力として前記エアバッグモジュールを移動させるワイヤ又はリンク機構と、を有する、とよい。
【発明の効果】
【００１７】
本発明では、エアバッグモジュールは、アクチュエータにより移動された状態で展開できる。よって、移動することにより、１つのエアバッグモジュールで複数の衝突形態に好適に対応することが可能になる。
【図面の簡単な説明】
【００１８】
【図１】図１は、本発明の第１実施形態に係る車両保護装置が適用される自動車の構造を模式的に示す説明図である。
【図２】図２は、第１実施形態に係る車両保護装置の基本構成の説明図である。
【図３】図３は、図２の車両保護装置の構成要素の配置の説明図である。
【図４】図４は、図２の制御部によるエアバッグモジュールの移動駆動処理の流れを示すフローチャートである。
【図５】図５は、第２実施形態の車両保護装置の構成要素の配置の説明図である。
【図６】図６は、第３実施形態に係る車両保護装置の基本構成の説明図である。
【発明を実施するための形態】
【００１９】
以下、本発明の実施形態を、図面に基づいて説明する。
【００２０】
［第１実施形態］
図１は、本発明の第１実施形態に係る車両保護装置２が適用される自動車１の構造を模式的に示す説明図である。
【００２１】
自動車１は、車両の一種である。自動車１の車体の前後方向中央部には、乗員が乗車する乗員室が形成される。車体の前部には、燃料エンジンなどを配置するための前室が形成される。車体の後部には、荷室などとして用いることができる後室が形成される。
乗員室は、略四角形のフロアパネル１１、フロアパネル１１の前角に立設される一対のＡピラー１２、フロアパネル１１の前後方向中央に立設される一対のＢピラー１３、フロアパネル１１の後角に立設される一対のＣピラー１４、を有する。Ａピラー１２の上端とＣピラー１４の上端とは、ルーフレール１５により連結される。Ｂピラー１３の上端は、ルーフレール１５の前後方向中央に接合される。左右一対のルーフレール１５の間には、略四角形のルーフパネル１６が接合される。
フロアパネル１１の前縁と一対のＡピラー１２の下部との間にはトーボード１７が配置され、トーボード１７の上側にはダッシュボード１８が配置される。ダッシュボード１８、一対のＡピラー１２の上部、およびルーフパネル１６の前縁に囲われるように、フロントガラス１９が嵌め込まれる。一対のＣピラー１４の上部の間には、リアガラス２０が嵌め込まれる。
前後方向に並ぶＡピラー１２とＢピラー１３との間には、Ａピラー１２に回転可能に支持される前ドアが配置される。Ｂピラー１３とＣピラー１４との間には、Ｂピラー１３に回転可能に支持される後ドアが配置される。フロアパネル１１の左右幅方向両縁には、一対のサイドシル２１が接合される。
このように、自動車１の乗員室は、略立方体形状の箱型の空間となる。
また、フロアパネル１１の左右幅方向中央には、乗員室内へ突出するように前後方向へ延在するセンタートンネル２２が形成される。センタートンネル２２の下側には、たとえば燃料エンジンの駆動力を後輪へ伝達するためのドライブシャフトが配置される。
フロアパネル１１の前部には、フロントシートとして、ドライバが着座するドライバシート２３、ナビゲータが着座するナビゲーションシート２４が左右幅方向に並べて取り付けられる。ドライバシート２３は、座部４１と背部４２とを有する。ナビゲーションシート２４は、座部４１と背部４２とを有する。ドライバシート２３の座部４１とナビゲーションシート２４の座部４１との間にセンタートンネル２２が位置する。センタートンネル２２の上には、シフトレバー２５、サイドブレーキレバー、内装部材としてのコンソールボックス２６などが取り付けられる。
ドライバシート２３およびナビゲーションシート２４の前には、左右幅方向へ延在するダッシュボード１８が位置する。ドライバシート２３の前には、ダッシュボード１８から後向きに突出して設けられたステアリングホイール２７が位置する。
フロアパネル１１の後部には、リアシートとして、複数の乗員が着座できるベンチシート２８が取り付けられる。ベンチシート２８は、座部４１と背部４２とを有する。ベンチシート２８は、フロアパネル１１と同等の左右幅を有する。ベンチシート２８には、通常３名までの乗員が着座することが可能である。
【００２２】
ところで、自動車１では、衝突時に乗員等を保護するための車両保護装置２が用いられる。
図２は、第１実施形態に係る車両保護装置２の基本構成の説明図である。
車両保護装置２は、エアバッグモジュール５０、アクチュエータ６１、制御部７１、を有する。
【００２３】
エアバッグモジュール５０は、エアバッグ５１、インフレータ５２、モジュールベース５３、を有する。
エアバッグ５１は、たとえば布を袋状に縫製したものである。
インフレータ５２は、火薬および高圧ガスを収容する小型のタンクである。インフレータ５２は、エアバッグ５１と連結される。
モジュールベース５３は、たとえば金属板である。モジュールベース５３に、エアバッグ５１、インフレータ５２が固定される。
そして、エアバッグ５１は、モジュールベース５３から所定の展開方向へ展開する。
【００２４】
アクチュエータ６１は、移動機構６２、駆動モータ６６、リンク機構６７、ロック機構６８、を有する。
移動機構６２は、車体に対してエアバッグモジュール５０を移動可能に取り付ける。移動機構６２は、たとえば車体に固定される長尺レール６３を有する。エアバッグモジュール５０は、長尺レール６３に対して、長尺レール６３の長手方向に沿って移動可能に取り付けられる。
駆動モータ６６は、たとえば直流モータである。駆動モータ６６は、たとえば車体に取り付けられる。
リンク機構６７は、たとえばワイヤとボビンである。ボビンは、駆動モータ６６に取り付けられる。ワイヤは、一端がエアバッグモジュール５０のモジュールベース５３に固定され、他端がボビンに固定される。これにより、駆動モータ６６の駆動力によりエアバッグモジュール５０は長尺レール６３に沿って移動駆動される。なお、リンク機構６７は、複数のギア等で構成されてもよい。
ロック機構６８は、エアバッグ５１を展開する際にエアバッグモジュール５０の移動をロックする機構である。ロック機構６８は、たとえばエアバッグモジュール５０のモジュールベース５３に設けられたフックであり、エアバッグ５１を展開する前にこのフックを長尺レール６３に掛けてエアバッグモジュール５０の移動を阻止する。これにより、エアバッグモジュール５０は、駆動モータ６６により移動駆動された位置において、エアバッグ５１を展開することができる。
【００２５】
図３は、図２の車両保護装置２の構成要素の配置の説明図である。
アクチュエータ６１の長尺レール６３は、ベンチシート２８の上側において車体幅方向に沿って延在するルーフクロスメンバ３０
に固定される。ルーフクロスメンバ３０の両端は、一対のルーフレール１５に固定される。そして、エアバッグモジュール５０は、下向き取り付けられる。エアバッグモジュール５０の初期位置は、たとえばルーフクロスメンバ３０の車体幅方向の端部から、車体幅方向の長さの１／３の位置である。この初期位置で、エアバッグモジュール５０は、ベンチシート２８の中央の着座位置と、外側の着座位置との間の上方に位置する。また、エアバッグモジュール５０は、駆動モータ６６に駆動されることで、初期位置から車体幅方向へ移動できる。
エアバッグ５１は、上下方向に長い略立方体形状を有する。立方体形状のエアバッグ５１は、エアバッグモジュール５０が初期位置から左方向または右方向へ移動された場合でも、ベンチシート２８に向かって展開することができる。
また、天井のルーフカバー３１には、複数の破断部８１が設けられる。複数の破断部８１は、エアバッグモジュール５０の移動方向に沿って、車体幅方向に並べで設けられる。これにより、ルーフカバー３１の内側で展開されるエアバッグ５１は、ルーフカバー３１の破断部８１を選択的に突き破って、ルーフカバー３１から下へ展開することができる。
以下、この本実施形態のエアバッグ５１をルーフエアバッグ５１ともよぶ。ルーフエアバッグ５１は、乗員のたとえば肩といった特定部位に対して展開するものである。
【００２６】
制御部７１は、たとえばマイクロコンピュータ装置である。マイクロコンピュータ装置は、ＣＰＵ、ＲＯＭ、ＲＡＭ、入出力ポート、これらを接続するシステムバスを有する。ＲＯＭは、車両保護装置２の動作を制御するためのプログラムを記憶する。ＣＰＵは、このプログラムをＲＡＭに読み込み、実行する。これにより、マイクロコンピュータ装置は、車両保護装置２の制御部７１として機能する。
入出力ポートには、インフレータ５２、駆動モータ６６、ロック機構６８、各種の検出部、が接続される。検出部には、たとえば乗員室から車体の前方といった車外を撮像する車外カメラ７２、車内を撮像する車内カメラ７３、加速度センサ７４、車速センサ７５、操舵角センサ７６、がある。制御部７１は、これら検出部からの入力情報に基づいて、車両保護装置２の動作を制御する。制御部７１は、たとえばアクチュエータ６１によるエアバッグモジュール５０の移動駆動を制御する。
【００２７】
次に、車両保護装置２の動作について説明する。
図４は、図２の制御部７１によるエアバッグモジュール５０の移動駆動処理の流れを示すフローチャートである。制御部７１は、図４の処理を周期的に実施する。
【００２８】
制御部７１は、衝突前に、入出力ポートに入力される車体の内外状況を示す入力情報に基づいて、衝突形態を予測判断する（ステップＳＴ１）。
ここで、車体の内外状況を示す入力情報には、たとえば車外の撮像画像といった衝突形態の予測に用いる入力情報、衝突時の入力情報、車内の撮像画像といった車内状況の入力情報がある。
また、衝突形態としては、たとえばフルラップ衝突、オフセット衝突、オブリーク衝突、側面衝突、がある。フルラップ衝突は、たとえば対向車と車幅全体で正面衝突することである。オフセット衝突は、たとえば対向車とずれた状態で正面衝突することである。オブリーク衝突は、さらにずれた状態で対向車と正面衝突することである。側面衝突は、車体の側面に他の自動車１が衝突することである。そして、衝突形態の違いにより、衝突時の車体の挙動および乗員の挙動が変化する。
このため、衝突前の衝突形態の予測判断において、制御部７１は、まず、車体の内外状況を示す入力情報に基づいて、衝突形態を予測判断する。
たとえば、制御部７１は、車外の撮像画像から、先行車、対向車、構造物との相対位置および相対速度を予測し、さらにエアバッグ５１の初期展開方向と衝撃入力方向との一致度、衝撃値の大きさ、を予測する。
また、制御部７１は、車内の撮像画像から、乗員の着座位置、乗員の体格若しくは体重を予測し、さらに衝撃による乗員の倒れ方向とエアバッグ５１の初期展開方向との一致度、乗員と車体の内装部材との距離、を予測する。
このように、制御部７１は、衝突形態を予測判断する。
なお、制御部７１は、衝突前の通常時だけでなく、衝突中にもこれらの衝突形態の予測判断を実施してよい。
【００２９】
次に、制御部７１は、予測した衝突形態に基づいて、エアバッグモジュール５０の移動の要否および移動量を判断する（ステップＳＴ２）。ここで、移動量は、離散的な値であっても、連続的な値であってもよい。
たとえば予測した衝突形態が側面衝突である場合、制御部７１は、ルーフエアバッグ５１を有するエアバッグモジュール５０の移動駆動の要否および移動量を判断する。
この場合、制御部７１は、たとえばベンチシート２８への乗員の乗車位置に基づいて、エアバッグモジュール５０の移動駆動の要否および移動量を判断する。
たとえばベンチシート２８に三人の乗員が乗車している場合、制御部７１は、エアバッグモジュール５０の移動を不要と判断する。
また、ベンチシート２８の外側のみに小柄の乗員が乗車している場合、制御部７１は、エアバッグモジュール５０を移動させる必要があると判断する。制御部７１は、乗員の体格に応じて、乗員の傍でエアバッグ５１が展開するように移動量を判断する。
【００３０】
そして、エアバッグモジュール５０の移動が必要である場合、制御部７１は、ロック機構６８を解除し、アクチュエータ６１によりエアバッグモジュール５０を駆動量で駆動させる（ステップＳＴ３）。これにより、たとえばベンチシート２８に着座した乗員との間に隙間が形成されないようにエアバッグ５１を展開できる。その後、制御部７１は、ロック機構６８を作動させる。これにより、エアバッグモジュール５０は移動できない状態にロックされる。
エアバッグモジュール５０の移動が必要でない場合、制御部７１は、アクチュエータ６１を駆動させることなく、処理を終了する。
【００３１】
このように衝突前にエアバッグモジュール５０を適宜移動駆動するとともに、制御部７１は、図４とは別の衝突判断処理により、衝突の発生を判断する。
衝突判断処理において、制御部７１は、入出力ポートに入力される各種の検出情報に基づいて、衝突の発生を判断する。
そして、衝突が発生する場合、制御部７１は、インフレータ５２へ点火信号を出力する。制御部７１は、エアバッグ５１が最大サイズに展開するタイミングまたはその直前または直後のタイミングで乗員がエアバックに対して突入するように、インフレータ５２へ点火信号を出力するタイミングを調整する。
エアバッグモジュール５０は、インフレータ５２に点火信号が入力されると、火薬を発火させ、高圧ガスをエアバッグ５１へ吹き出す。これにより、エアバックが展開する。エアバッグ５１は、高圧ガスの流入開始により展開を開始し、シートカバー４３の破断部８１を突き破り、その後に最大サイズに達し、さらに内圧が高まると、ガスの放出を開始してしぼむ。この展開したエアバッグ５１に対して乗員が当たることにより、乗員が内装部品などに当たる場合と比べて、乗員を保護することができる。
また、衝突前にエアバッグモジュール５０を適宜移動駆動し、乗員の体格に応じて乗員の傍でエアバッグ５１を展開できる。
そして、たとえばベンチシート２８に三人の乗員が乗車している場合、エアバッグ５１は初期状態のままで展開される。よって、隣り合う二人の乗員の間にエアバッグ５１を展開することができる。乗員同士が直接に当たらないようにできる。
また、ベンチシート２８の外側のみに小柄の乗員が乗車している場合、エアバッグ５１は移動駆動された状態で展開される。これにより、ベンチシート２８の外側に着座する小柄の乗員と展開したエアバックとの隙間を減らしてエアバッグ５１を展開できる。
【００３２】
以上のように、本実施形態では、ベンチシート２８の上から展開するエアバッグ５１を、乗員の体格などに応じて移動駆動する。よって、たとえばベンチシート２８に着座している乗員の体格、人数および着座位置によらずに、乗員を支えることができる。
【００３３】
［第２実施形態］
本発明の第２実施形態の車両保護装置２は、ナビゲーションシート２４の前で展開するエアバッグ５１を有する。第２実施形態の車両保護装置２の基本構成は、第１実施形態の図２と同様である。以下の説明では、第１実施形態のものと対応する構成要素には、第１実施形態と同じ符号を付して説明を省略する。
【００３４】
図５は、第２実施形態の車両保護装置２の構成要素の配置の説明図である。
移動機構６２の長尺レール６３は、ダッシュボード１８内のステアリングサポートビーム２９に、車体幅方向に沿って延在するように設けられる。ステアリングサポートビーム２９は、一対のＡピラー１２の間に橋渡すように固定される。
また、エアバッグ５１は、前後方向に長い略立方体形状を有する。また、モジュールベース５３は、立方体形状のエアバッグ５１が、後向きに展開するように取り付けられる。立方体形状のエアバッグ５１は、モジュールベース５３から後へ展開する。初期状態では、エアバッグ５１は、ナビゲーションシート２４の正面の位置から、ナビゲーションシート２４へ向かって展開される。また、初期位置から車体幅方向へ移動された状態では、ナビゲーションシート２４から左右へ少しずれた状態で展開される。
また、ダッシュボード１８には、複数の破断部８１が設けられる。複数の破断部８１は、回転軸の周囲で、所定の回転角毎に並べて設けられる。これにより、ダッシュボード１８の内側で展開されるエアバッグ５１は、ダッシュボード１８の破断部８１を突き破って、ダッシュボード１８から後へ展開することができる。
以下、この本実施形態のエアバッグ５１をフロントエアバッグ５１ともよぶ。
【００３５】
次に、車両保護装置２の動作について説明する。
本実施形態の制御部７１によるエアバッグモジュール５０の移動駆動処理の全体的な流れは、図４と同様である。
【００３６】
制御部７１は、衝突前に、入出力ポートに入力される車体の内外状況を示す入力情報に基づいて、衝突形態を予測判断する（ステップＳＴ１）。
【００３７】
次に、制御部７１は、予測した衝突形態に基づいて、エアバッグモジュール５０の移動の要否および移動量を判断する（ステップＳＴ２）。ここで、移動量は、離散的な値であっても、連続的な値であってもよい。
たとえば予測した衝突形態がフルラップ衝突である場合、制御部７１は、フロントエアバッグ５１を有するエアバッグモジュール５０の移動駆動の要否および移動量を判断する。そして、制御部７１は、エアバッグモジュール５０の移動を不要と判断する。
また、予測した衝突形態がオブリーク衝突である場合、制御部７１は、フロントエアバッグ５１を有するエアバッグモジュール５０の移動駆動の要否および移動量を判断する。そして、制御部７１は、エアバッグモジュール５０の移動を必要と判断する。また、制御部７１は、衝突予定角度である衝撃入力方向または乗員が倒れる方向にエアバッグ５１が展開されるように、エアバッグモジュール５０の移動量を判断する。また、制御部７１は、乗員の体格または体重および衝突予定角度に基づいて、エアバッグ５１により乗員を支えることができるように、エアバッグモジュール５０の移動量を微調整する。
【００３８】
そして、エアバッグモジュール５０の移動が必要である場合、制御部７１は、ロック機構６８を解除し、アクチュエータ６１によりエアバッグモジュール５０を駆動させる（ステップＳＴ３）。これにより、たとえばナビゲーションシート２４に着座した乗員が倒れる方向に、エアバッグ５１を展開することができる。その後、制御部７１は、ロック機構６８を作動させ、エアバッグモジュール５０を移動できない状態にロックする。
エアバッグモジュール５０の駆動が必要でない場合、制御部７１は、アクチュエータ６１を駆動させることなく、処理を終了する。
【００３９】
以上のように、本実施形態では、ナビゲーションシート２４に着座した乗員が倒れる方向に、エアバッグ５１を移動させて展開する。よって、乗員は、展開したエアバッグ５１に対して当たるように倒れる。その結果、衝突形態によらず、エアバッグ５１に乗員が当たるようになる。また、予めエアバッグ５１を移動させているので、乗員が斜めに倒れることによる荷重により、エアバッグ５１が倒れ難くなる。フルラップ衝突時だけでなく、オフセット衝突時またはオブリーク衝突時においても、エアバッグ５１により乗員を支えることができる。
【００４０】
［第３実施形態］
本発明の第３実施形態の車両保護装置２は、ナビゲーションシート２４の上で展開するフロントエアバッグ５１を有する。以下の説明では、第１実施形態のものと対応する構成要素には、第１実施形態と同じ符号を付して説明を省略する。
【００４１】
図６は、第３実施形態に係る車両保護装置２の基本構成の説明図である。
車両保護装置２のアクチュエータ６１は、移動機構６２、変位部材９１、ワイヤ９２、を有する。
変位部材９１は、ナビゲーションシート２４の外側の着座位置の下に埋設される。変位部材９１は、該着座位置における着座した乗員の荷重に応じて変位する。
ワイヤ９２は、変位部材９１とモジュールベース５３とを直接に連結する。
【００４２】
本実施形態では、ナビゲーションシート２４の着座位置に乗員が着座している場合、変位部材９１は、変位しない。
これに対して、ナビゲーションシート２４の着座位置において外側に偏って荷重が作用する場合、変位部材９１は、変位する。ワイヤ９２は、変位部材９１の変位を入力としてモジュールベース５３を外方向へ移動させる。
【００４３】
以上の実施形態は、本発明の好適な実施形態の例であるが、本発明は、これに限定されるものではなく、発明の要旨を逸脱しない範囲において種々の変形または変更が可能である。
【符号の説明】
【００４４】
１…自動車（車両）、２…車両保護装置、１１…フロアパネル、１２…Ａピラー、１３…Ｂピラー、１４…Ｃピラー、１５…ルーフレール、１６…ルーフパネル、１７…トーボード、１８…ダッシュボード、１９…フロントガラス、２０…リアガラス、２１…サイドシル、２２…センタートンネル、２３…ドライバシート、２４…ナビゲーションシート、２５…シフトレバー、２６…コンソールボックス、２７…ステアリングホイール、２８…ベンチシート、２９…ステアリングサポートビーム、３０…ルーフクロスメンバ、３１…ルーフカバー、４１…座部、４２…背部、４３…シートカバー、５０…エアバッグモジュール、５１…エアバッグ、５２…インフレータ、５３…モジュールベース、６１…アクチュエータ、６２…移動機構、６３…長尺レール、６６…駆動モータ、６７…リンク機構、６８…ロック機構、７１…制御部、７２…車外カメラ、７３…車内カメラ、７４…加速度センサ、７５…車速センサ、７６…操舵角センサ、８１…破断部、９１…変位部材、９２…ワイヤ
【図１】
2017065556.tif 000003
【図２】
2017065556.tif 000004
【図３】
2017065556.tif 000005
【図４】
2017065556.tif 000006
【図５】
2017065556.tif 000007
【図６】
2017065556.tif 000008
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
エアバッグおよび前記エアバッグを展開させるインフレータを有するエアバッグモジュールと、
車体に設けられるベンチシートの上側において車体幅方向に沿って設けられ、前記エアバッグモジュールが長手方向に沿って移動可能に取り付けられる長尺レールと、
前記エアバッグモジュールを、前記長尺レールに沿って移動可能に車体に取り付けるアクチュエータと、
前記アクチュエータを制御する制御部と、
を有し、
前記エアバッグモジュールは、前記アクチュエータにより移動された状態で展開できる、
車両用保護装置。
【請求項２】
前記制御部は、
前記ベンチシートに三人の乗員が乗車している場合には、前記エアバッグを展開する前に前記エアバッグモジュールを車体幅方向の端部から１／３の位置となるように前記アクチュエータを制御し、
前記ベンチシートの外側のみに小柄の乗員が乗車している場合には、前記エアバッグモジュールを乗員の体格に応じた位置となるように前記アクチュエータを制御し、
前記エアバッグモジュールは、前記アクチュエータにより移動された状態で展開できる、
請求項１記載の車両用保護装置。
【請求項３】
エアバッグおよび前記エアバッグを展開させるインフレータを有するエアバッグモジュールと、
車体のステアリングサポートビームに車体幅方向に沿って延在するように設けられ、前記エアバッグモジュールが長手方向に沿って移動可能に取り付けられる長尺レールと、
前記エアバッグモジュールを、前記長尺レールに沿って移動可能に車体に取り付けるアクチュエータと、
前記アクチュエータを制御する制御部と、
を有し、
前記エアバッグモジュールは、前記アクチュエータにより移動された状態で展開できる、
車両用保護装置。
【請求項４】
前記制御部は、
フルラップ衝突を予想した場合には、前記エアバッグモジュールをシートの正面の位置となるように前記アクチュエータを制御し、
オフセット衝突またはオブリーク衝突を予想した場合には、衝突予定角度である衝撃入力方向または乗員が倒れる方向に前記エアバッグが展開されるように前記アクチュエータを制御し、
前記エアバッグモジュールは、前記アクチュエータにより移動された状態で展開できる、
請求項３記載の車両用保護装置。
【請求項５】
前記制御部は、
衝撃による乗員の倒れ方向と前記エアバッグの初期展開方向との一致度を予測し、
衝突予定角度である衝撃入力方向または乗員が倒れる方向に前記エアバッグが展開するように、前記アクチュエータによる前記エアバッグモジュールの移動量を調整する、
請求項１から４のいずれか一項記載の車両用保護装置。
【請求項６】
エアバッグおよび前記エアバッグを展開させるインフレータを有するエアバッグモジュールと、
前記エアバッグモジュールを、所定の軌道に沿って移動可能に車体に取り付けるアクチュエータと、
前記アクチュエータを制御する制御部と、
を有し、
前記制御部は、
衝撃による乗員の倒れ方向と前記エアバッグの初期展開方向との一致度を予測し、
衝突予定角度である衝撃入力方向または乗員が倒れる方向に前記エアバッグが展開するように、前記アクチュエータによる前記エアバッグモジュールの移動量を調整し、
前記エアバッグモジュールは、前記アクチュエータにより移動された状態で展開できる、
車両用保護装置。
【請求項７】
前記エアバッグを展開する際に前記エアバッグモジュールの移動をロックするロック機構、を有し、
前記エアバッグモジュールは、前記アクチュエータにより移動されて前記ロック機構によりロックされた状態で展開できる、
請求項１から６のいずれか一項記載の車両用保護装置。
【請求項８】
前記制御部は、
衝突形態の予測に用いる入力情報、衝突時の入力情報、または車内状況の入力情報に基づいて、衝突形態を判断し、
前記車体の内外状況を示す入力情報に基づいて、衝突予想、衝突前の車内状況、衝突中の衝突状態、および衝突中の車内状況、の中の少なくとも１つの衝突形態を判断し、
前記衝突形態の判断結果に基づいて、前記エアバッグモジュールの移動要否または移動量を判断し、
前記エアバッグモジュールの移動が必要である場合に、前記アクチュエータにより前記エアバッグモジュールを移動駆動させる、
請求項１から７のいずれか一項記載の車両用保護装置。
【請求項９】
前記制御部は、衝突予測時に、または乗員の着座位置を判断した時に、前記エアバッグモジュールを移動駆動させる、
請求項１から８のいずれか一項記載の車両用保護装置。
【請求項１０】
前記制御部は、乗員の特定部位に対して前記エアバッグが展開するように、前記エアバッグモジュールを移動駆動させる、
請求項１から９のいずれか一項記載の車両用保護装置。
【請求項１１】
前記アクチュエータは、
前記車体に設けられたシートへの着座により変位する変位部材と、
前記変位部材の変位を入力として前記エアバッグモジュールを移動させるワイヤ又はリンク機構と、
を有する、
請求項１から１０のいずれか一項記載の車両用保護装置。
【手続補正２】
【補正対象書類名】明細書
【補正対象項目名】０００６
【補正方法】変更
【補正の内容】
【０００６】
本発明に係る第一の車両用保護装置は、エアバッグおよび前記エアバッグを展開させるインフレータを有するエアバッグモジュールと、車体に設けられるベンチシートの上側において車体幅方向に沿って設けられ、前記エアバッグモジュールが長手方向に沿って移動可能に取り付けられる長尺レールと、前記エアバッグモジュールを、前記長尺レールに沿って移動可能に車体に取り付けるアクチュエータと、前記アクチュエータを制御する制御部と、を有し、前記エアバッグモジュールは、前記アクチュエータにより移動された状態で展開できる。
好適には、前記制御部は、前記ベンチシートに三人の乗員が乗車している場合には、前記エアバッグを展開する前に前記エアバッグモジュールを車体幅方向の端部から１／３の位置となるように前記アクチュエータを制御し、前記ベンチシートの外側のみに小柄の乗員が乗車している場合には、前記エアバッグモジュールを乗員の体格に応じた位置となるように前記アクチュエータを制御し、前記エアバッグモジュールは、前記アクチュエータにより移動された状態で展開できる、とよい。
【手続補正３】
【補正対象書類名】明細書
【補正対象項目名】０００７
【補正方法】変更
【補正の内容】
【０００７】
本発明に係る第二の車両用保護装置は、エアバッグおよび前記エアバッグを展開させるインフレータを有するエアバッグモジュールと、車体のステアリングサポートビームに車体幅方向に沿って延在するように設けられ、前記エアバッグモジュールが長手方向に沿って移動可能に取り付けられる長尺レールと、前記エアバッグモジュールを、前記長尺レールに沿って移動可能に車体に取り付けるアクチュエータと、前記アクチュエータを制御する制御部と、を有し、前記エアバッグモジュールは、前記アクチュエータにより移動された状態で展開できる。
好適には、前記制御部は、フルラップ衝突を予想した場合には、前記エアバッグモジュールをシートの正面の位置となるように前記アクチュエータを制御し、オフセット衝突またはオブリーク衝突を予想した場合には、衝突予定角度である衝撃入力方向または乗員が倒れる方向に前記エアバッグが展開されるように前記アクチュエータを制御し、前記エアバッグモジュールは、前記アクチュエータにより移動された状態で展開できる、とよい。
【手続補正４】
【補正対象書類名】明細書
【補正対象項目名】０００８
【補正方法】変更
【補正の内容】
【０００８】
好適には、前記制御部は、衝撃による乗員の倒れ方向と前記エアバッグの初期展開方向との一致度を予測し、衝突予定角度である衝撃入力方向または乗員が倒れる方向に前記エアバッグが展開するように、前記アクチュエータによる前記エアバッグモジュールの移動量を調整する、とよい。
【手続補正５】
【補正対象書類名】明細書
【補正対象項目名】０００９
【補正方法】変更
【補正の内容】
【０００９】
本発明に係る第三の車両用保護装置は、エアバッグおよび前記エアバッグを展開させるインフレータを有するエアバッグモジュールと、前記エアバッグモジュールを、所定の軌道に沿って移動可能に車体に取り付けるアクチュエータと、前記アクチュエータを制御する制御部と、を有し、前記制御部は、衝撃による乗員の倒れ方向と前記エアバッグの初期展開方向との一致度を予測し、衝突予定角度である衝撃入力方向または乗員が倒れる方向に前記エアバッグが展開するように、前記アクチュエータによる前記エアバッグモジュールの移動量を調整し、前記エアバッグモジュールは、前記アクチュエータにより移動された状態で展開できる。
【手続補正６】
【補正対象書類名】明細書
【補正対象項目名】００１０
【補正方法】変更
【補正の内容】
【００１０】
好適には、前記エアバッグを展開する際に前記エアバッグモジュールの移動をロックするロック機構、を有し、前記エアバッグモジュールは、前記アクチュエータにより移動されて前記ロック機構によりロックされた状態で展開できる、とよい。
【手続補正７】
【補正対象書類名】明細書
【補正対象項目名】００１１
【補正方法】変更
【補正の内容】
【００１１】
好適には、前記制御部は、衝突形態の予測に用いる入力情報、衝突時の入力情報、または車内状況の入力情報に基づいて、衝突形態を判断し、前記車体の内外状況を示す入力情報に基づいて、衝突予想、衝突前の車内状況、衝突中の衝突状態、および衝突中の車内状況、の中の少なくとも１つの衝突形態を判断し、前記衝突形態の判断結果に基づいて、前記エアバッグモジュールの移動要否または移動量を判断し、前記エアバッグモジュールの移動が必要である場合に、前記アクチュエータにより前記エアバッグモジュールを移動駆動させる、とよい。
【手続補正８】
【補正対象書類名】明細書
【補正対象項目名】００１２
【補正方法】変更
【補正の内容】
【００１２】
好適には、前記制御部は、衝突予測時に、または乗員の着座位置を判断した時に、前記エアバッグモジュールを移動駆動させる、とよい。
【手続補正９】
【補正対象書類名】明細書
【補正対象項目名】００１３
【補正方法】変更
【補正の内容】
【００１３】
好適には、前記制御部は、乗員の特定部位に対して前記エアバッグが展開するように、前記エアバッグモジュールを移動駆動させる、とよい。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】